(57)【要約】【課題】本発明は、視認性に優れ、使用者の使い勝手の良い表示画面を有したリモコンを提供することを目的とする。【解決手段】本発明は、複数の表示要素を並べて表示する表示部と、前記各表示要素のうちの一つを選択する選択部とを備え、前記各表示要素は、選択時と非選択時とで大きさが異なる複数の表示態様を有し、前記表示部は、前記選択部によって選択された表示要素を非選択時よりも大きい表示態様で拡大表示することを特徴とする。【選択図】図４
2014149122.tif 000002
【特許請求の範囲】
【請求項１】
複数の表示要素を並べて表示する表示部と、
前記各表示要素のうちの一つを選択する選択部とを備え、
前記各表示要素は、選択時と非選択時とで大きさが異なる複数の表示態様を有し、
前記表示部は、前記選択部によって選択された表示要素を非選択時よりも大きい表示態様で拡大表示することを特徴とするリモコン。
【請求項２】
前記表示部は、選択された表示要素を他の表示要素よりも大きく表示することを特徴とする請求項１に記載のリモコン。
【請求項３】
前記表示部は、選択された表示要素を他の表示要素と重複することなく拡大表示することを特徴とする請求項１又は２に記載のリモコン。
【発明の詳細な説明】
【技術分野】
【０００１】
本発明は、給湯機等のリモコンにおける画面表示技術に関する。
【背景技術】
【０００２】
従来、リモコンの画面の表示を拡大させたい場合、リモコンの操作部の拡大スイッチを押して、複数の情報を同時に画面表示する通常表示モードから複数の情報を順番に拡大して画面表示する拡大表示モードに切り替えることのできるリモコンが提案されている。（例えば、特許文献１）
【先行技術文献】
【特許文献】
【０００３】
【特許文献１】特開２００５−３７０２７号公報
【発明の概要】
【発明が解決しようとする課題】
【０００４】
しかしながら、上記の表示技術においては、画面表示を拡大したいときに拡大ボタンを押す動作が必要であり、操作性の問題がある。
【０００５】
また、文字が画面全体に拡大表示されてしまうと、どの部分を拡大表示したのかが分かりにくくなり、操作性が向上するとは言い難かった。
【０００６】
そこで、本発明は、視認性に優れ、使用者の使い勝手の良い表示画面を有したリモコンを提供することを目的とする。
【課題を解決するための手段】
【０００７】
本発明は、複数の表示要素を並べて表示する表示部と、前記各表示要素のうちの一つを選択する選択部とを備え、前記各表示要素は、選択時と非選択時とで大きさが異なる複数の表示態様を有し、前記表示部は、前記選択部によって選択された表示要素を非選択時よりも大きい表示態様で拡大表示することを特徴とする。
【発明の効果】
【０００８】
本発明によれば、視認性に優れ、使用者の使い勝手の良い表示画面を有したリモコンを提供することができる。
【図面の簡単な説明】
【０００９】
【図１】第１実施形態に係る給湯機の例を表す構成図を示す。
【図２】本発明の実施形態に係るリモコンの外観図を示す。
【図３】本発明の実施形態に係るブロック図を示す。
【図４】実施例１に係るリモコン画面であり、（Ａ）は、当日所定時間使用量の表示要素を拡大表示した画面を示し、（Ｂ）は、昨日所定時間使用量の表示要素を拡大表示した画面を示し、（Ｃ）は、昨日全日使用量の表示要素を拡大表示した画面を示す。
【図５】実施例２に係るリモコン画面であり、（Ａ）は、「切」の表示要素を拡大表示した画面を示し、（Ｂ）は、「少量」の表示要素を拡大表示した画面を示し、（Ｃ）は、「全量」の表示要素を拡大表示した画面を示す。
【発明を実施するための形態】
【００１０】
以下、本発明の実施形態に係るリモコンを備える給湯機１１について説明する。
【００１１】
図１に示すように、給湯機１１は電気給湯機であり、温水を貯湯する貯湯タンク１２と、貯湯タンク１２に貯湯するための水を加熱する熱源であるヒートポンプユニット１３とを備え、この給湯機１１へは、給水源（例えば、水道管１９）からの給水が配管２０を経て供給される。具体的には、給湯機１１は、給水源から供給された低温水をヒートポンプユニット１３で加熱して温水を生成し、生成された温水を貯湯タンク１２に貯溜するものである。即ち、給湯機１１は、貯湯タンク１２を備えるタンクユニット１６と、ヒートポンプユニット１３とを備えて構成される。
【００１２】
また、給湯機１１は、水道管１９からの低温水を貯湯タンク１２内の温水と熱交換させて加熱し給湯用の温水を生成する給湯熱交換器１４を備える。この場合、貯湯タンク１２は、低温水と熱交換させる熱媒体としての温水を貯蔵する貯蔵タンクとして機能する。また、給湯機１１は、浴槽１５内から導出したふろ水を貯湯タンク１２内の温水と熱交換させ加熱する追いだき熱交換器１８を備える。さらに、給湯機１１は、湯はり、追いだき、給湯等を行うために利用者が操作する操作端末としてのリモコン６（図２参照）と、このリモコン６からの操作指令等に従って給湯機１１全体を統括的に制御する本体側制御基板１０とを備える。
【００１３】
また、給湯機１１は、給湯端末に加熱された清水を供給する給湯回路と、浴槽１５から取り出した浴槽水を貯湯タンク１２に貯蔵される温水（この場合には、熱媒体として機能する）と追いだき熱交換器１８によって熱交換させて浴槽１５に戻す追いだき回路とを備える。
【００１４】
給湯回路には、温水を一般給湯端末（蛇口、シャワー等、本実施形態では、混合栓１７）に供給する一般給湯回路２１と、温水を浴槽に設けられる浴槽端末に供給する湯はり回路とが含まれる。また、前記給湯回路に供給される清水の供給源としては、水道管１９や井戸水等の外部の給水源の他、清水を貯溜する貯湯タンク１２が考えられる。
【００１５】
ここで、清水とは、利用者が直接接触し得る状態を未だ経ていない使用前の水を指すものであり、給水源からの水や貯湯タンク１２に貯溜されている水を含むものである一方、浴槽１５等に供給されたような汚れを含む使用後の水（特に、一度浴槽１５に供給されたふろ水）とは区別されるものである。
【００１６】
図３は、給湯機本体側制御基板１０とリモコン６との間で通信を行うシステム構成を示すブロック図である。
【００１７】
給湯機１１と、その給湯機１１に備えられている本体側制御基板１０と、その本体側制御基板１０との間でデータ通信を行い、給湯機１１を遠隔操作するリモコン６（リモートコントローラ）とを主要部として構成される。
【００１８】
本体側制御基板１０は給湯機１１各部の動作を制御する為の本体側マイコン７と、このマイコン７での制御用データを記憶する本体側データ記憶手段８と、基板外部との通信用の通信部９とが主要部に備えられている。
【００１９】
一方、リモコン６は、人為操作を行う操作部５と、各種の情報を表示する表示部４と、動作を制御する為のリモコン側マイコン１と、データを記憶するためのマイコン内部記憶装置が備えられ、本体側制御基板１０が保有しているデータを記憶する為のリモコン側データ記憶手段２と、本体側制御基板１０と通信を行う通信部３とを主要部として備えている。また、図２は前記リモコン６の外観図を示す図である。
【実施例１】
【００２０】
次に、実施例１に係るリモコンを備える給湯機について説明する。
【００２１】
図４（Ａ）〜（Ｃ）に示すように、表示部４は、過去の複数日の前記所定時間での使用量の平均値である平均過去所定時間使用量２０１を表示する。具体的には、平均過去所定時間使用量２０１として、過去一週間の所定時間（又は所定時刻）での使用量の平均値を表示する。
【００２２】
具体的には、表示部４は、昨日所定時間使用量１０４と平均過去所定時間使用量２０１とを関連付けて表示する。具体的には、表示部４は、昨日所定時間使用量１０４と平均過去所定時間使用量２０１を並べて表示する。このようにすれば、一つの画面内で使用量を把握することができ、対比する際に便利である。但し、これに限定されるものではなく、昨日所定時間使用量１０４と平均過去所定時間使用量２０１とを一定時間ごとに切り換えて表示するものであってもよく、ユーザーが何らかの操作を行うことで表示を切り換えるものであってもよい。
【００２３】
また、表示部４は、昨日の一日間の使用量である昨日全日使用量１０５と、過去の複数日の一日間使用量の平均値である平均過去全日使用量２０２とを関連付けて表示する。具体的には、平均過去全日使用量２０２として、過去一週間の前記所定時間での使用量の平均値を表示する。
【００２４】
具体的には、表示部４は、昨日全日使用量１０５と平均過去全日使用量２０２とを並べて表示する。このようにすれば、一つの画面内で使用量を把握したり対比したりすることができる。但し、これに限定されるものではなく、昨日全日使用量１０５と平均過去全日使用量２０２とを一定時間ごとに切り換えて表示するものであってもよく、ユーザーが何らかの操作を行うことで表示を切り換えるものであってもよい。
【００２５】
より具体的には、当日所定時間使用量１０２と昨日所定時間使用量１０４と平均過去所定時間使用量２０１は、縦方向に並べて表示され、昨日全日使用量１０５と平均過去全日使用量２０２とは、縦方向に並べて表示される。
【００２６】
このように、本日の現在時刻までの使用量と、昨日の同時刻までの使用量と、さらに週平均の使用量とを同時に表示し、さらに、１日の使用量の参考値として昨日の１日累計と週平均の１日累計を合わせて表示することにより、ユーザーは、現在の使用量と昨日の同時刻の使用量と週平均の使用量とを比較して使用量を認知することができ、現在時刻以降の使用量の抑制や沸き増し運転の変更を促すことが可能となる。
【００２７】
次に、上述した使用量画面の文字拡大表示制御について説明する。まず、図２に示すように、リモコン６は、複数の表示要素を並べて表示する表示部４と、前記各表示要素のうちの一つを選択する選択部４０（図２参照）とを備えている。選択部４０は、具体的には、図２に示すような要素選択キーであり、いわゆる十字キーによって構成されている。
【００２８】
実施例１における表示要素は、図４（Ａ）に示されるように、当日所定時間使用量１０２、昨日所定時間使用量１０４、昨日全日使用量１０５、平均過去所定時間使用量２０１、平均過去全日使用量２０２である。
【００２９】
そして、表示部４に、図４（Ａ）に示すような当日所定時間使用量１０２を拡大表示させる。即ち、このような表示要素は、選択時と非選択時とで大きさが異なる複数の表示態様を有し、表示部４は、前記選択部４０によって選択された表示要素を非選択時よりも大きい表示態様で拡大表示する。また、表示部４は、選択された表示要素である当日所定時間使用量１０２を、例えば昨日所定時間使用量１０４といった他の表示要素よりも大きく表示する。このとき、表示部４は、選択された表示要素を他の表示要素と重複することなく拡大表示する。
【００３０】
このようにすれば、表示要素を選択するだけで拡大表示されるため、操作性の面での煩わしさをなくすことができ、選択されていない箇所はそのまま表示させることで拡大された部分との差別化を図ることにより、どの箇所が選択されているのかを明確にすることができる。
【００３１】
また当日所定時間使用量１０２を囲っている枠３０２を他の部分より縦幅、横幅を拡大して表示する。ここで選択部４０（図２参照）の要素選択キーを押すと、図４（Ｂ）に示すように昨日所定時間使用量１０４を拡大表示する。こちらも図４（Ａ）同様、昨日所定時間使用量１０４を囲っている枠３０４を他の部分より縦幅、横幅を拡大して表示する。このとき、先ほど拡大表示していた文字は選択されていない文字と同じ大きさに戻す。その文字を囲う枠を他より大きくすることで他との差別化を図り、今何が選択されているのかを明確にすることができる。
【００３２】
また、ここで選択部４０（図２参照）の要素選択キーを押すと、図４（Ｃ）に示すように昨日全日使用量１０５を拡大表示する。選択される文字の列が右に移ることで、今まで拡大されていた左の列の横幅を狭くし、右の列の横幅を大きくする。選択されている文字を拡大表示し、またその文字を囲う枠を他より大きくすることで他との差別化を図り、今何が選択されているのかを明確にすることができる。また、すべてを拡大表示するのではなく、選択されたところだけを拡大表示し、選択されていない文字は通常の大きさで表示することで、限られた画面の大きさの中で効率よく文字を表示することができる。
【００３３】
また、拡大表示されているところで選択部４０（図２参照）の要素選択キーを押すとその拡大表示されている部分の詳しい情報を表示させる。具体的には、時間帯別の使用量のグラフを表示する。
【００３４】
これにより、利用者は詳細情報画面までわかりやすく、簡単にたどり着くことができる。
【実施例２】
【００３５】
次に、実施例２に係るリモコンを備える給湯機について図５を用いて説明する。
【００３６】
実施例２は、湯切れ防止設定に関するものであり、図５に示すように、「切」、「少量」、「全量」が表示要素として表示部４に並べて表示される。なお、湯切れ防止設定とは、貯湯タンクにお湯がなくなった際、自動でお湯を沸かす量を設定するものであり、「切」に設定するとお湯を沸き上げず、「少量」にするとお湯を少量沸き上げ、「全量」に設定すると、貯湯タンクをお湯で満たすように沸き上げを行う。
【００３７】
表示部４に図５（Ａ）に示すような設定する項目を拡大表示させる。文字を拡大するだけではなく、白黒を反転させて表示させる。ここで選択部４０（図２参照）の要素選択キーを押すと、図５（Ｂ）のように今まで拡大表示されていた文字の大きさ、色は元に戻り、新たに選択された文字が拡大表示される。またここで選択部４０（図２参照）の要素選択キーを押すと、図５（Ｃ）のように今まで拡大表示されていた文字の大きさ、色は元に戻り、新たに選択された文字が拡大表示される。これにより、現在選択されているものを明確に把握することができ、設定を行うときの間違いを防ぐことができる。
【符号の説明】
【００３８】
４…表示部、６…リモコン、４０…選択部、１０２…当日所定時間使用量、１０４…昨日所定時間使用量、１０５…昨日全日使用量、２０１…平均過去所定時間使用量、２０２…平均過去全日使用量
【図１】
2014149122.tif 000003
【図２】
2014149122.tif 000004
【図３】
2014149122.tif 000005
【図４】
2014149122.tif 000006
【図５】
2014149122.tif 000007